(57)【要約】【課題】一般的に使用されている棚板を使用することができるとともに、棚板の載置面部の任意の位置に確実に固定することができ、かつ取外しも容易に行うことができる商品前出し装置を提供すること。【解決手段】商品を前方へと押し出す押圧部材１２０を、レール部材１１０により前後方向に摺動案内させ、かつ前方へ付勢するように構成し、レール部材１１０に、棚板２００の載置面部２１０の前端面又はその近傍に形成される溝部と係止する前端固定部１１５を設ける。【選択図】図５
2011120758.tif 000002
【特許請求の範囲】
【請求項１】
棚板の載置面に取り付けられて、陳列物を後方から前方へと押し出す商品前出し装置であって、
前記陳列物が上面側に載置されるレール部材と、
該レール部材に摺動自在に取り付けられるとともに、付勢手段により前方に付勢される押圧部材とを備え、
前記レール部材の前端には、前記棚板の前端面若しくはその近傍において左右方向に延設される溝部に係止する前端固定部が設けられることを特徴とする商品前出し装置。
【請求項２】
前端固定部が、レール部材の前端に着脱自在に取り付けられることを特徴とする請求項１に記載の商品前出し装置。
【請求項３】
レール部材は、長尺板状に形成されており、両側から側方に突出して形成される一対の摺動案内部を備え、
押圧部材は、前記一対の摺動案内部と係合する一対の係合凹部を備えることを特徴とする特徴とする請求項１又は２に記載の商品前出し装置。
【請求項４】
レール部材には、後端側を棚板の載置面に着脱自在に固定する後端固定部が設けられることを特徴とする請求項１から３のいずれか一項に記載の商品前出し装置。
【請求項５】
付勢手段は、帯状の薄板材が渦巻き状に巻かれてなるバネであって、
前記バネは、押圧部材に形成されたばね収容部に収容されるとともに、一端がレール部材の前端又はその近傍に取り付けられることを特徴とする請求項１から４に記載の商品前出し装置。
【発明の詳細な説明】
【技術分野】
【０００１】
本発明は、棚板の前後方向に陳列された商品を後方から前方へと押し出すための商品前出し装置に関するものである。
【背景技術】
【０００２】
陳列棚の棚板の前後方向に商品を陳列する場合には、商品が顧客の目につきやすいように「前出し」することが行われている。そして、この前出し作業を簡便に行えるようにするための装置がいくつか提案されている。
【０００３】
このうちの一つに、棚板を区画する仕切り板に沿って摺動可能に前後方向へ帯状に延びる略長方形板状の基部と、この基部の後端付近から前記基部と直行方向に延びて商品の背面を凹圧可能な凹圧片部を備えた商品前出し具が提案されている（例えば、特許文献１参照）。この商品前出し具を用いれば、基部を仕切り板に沿って手前側に摺動させることで商品の前出しを行うことができる。この装置では、一度の操作で全ての商品の前出しを行うことができるものの、その操作を手動で行わなければならないという煩雑さがあった。
【０００４】
そこで、商品の取り出しと同時に残りの商品を自動的に前出しするようにした商品前出し装置が提案されている。自動的に前出しを行う装置としては、例えば、長尺部材の長手方向に沿って移動可能に取り付けられた商品押圧体を、コイルばねにより前端方向に移動できるように付勢するように構成された商品陳列ユニットを、長尺部材と短尺部材を長方形状に組み立てた枠体に着脱可能に差し渡し状態にして取り付けるようにしたものがある（特許文献２参照）。この商品陳列ユニットによれば、商品が抜き取られる毎に、残りの商品がコイルばねの付勢力を利用して自動的に前出しされるため、上記の商品前出し具のように手動で行う煩雑さが解消される。しかし、この商品陳列ユニットを導入する場合には、これと組み合わせて用いられる専用の枠体も合わせて必要となるため、既存の棚板と交換する形で導入しなければならない。このため、既設の棚板を有効に活用することができないばかりでなく、導入コストも高くなるという不都合があった。
【０００５】
一方、一般的な棚板の前端面には、プライスカードを差し込むためのカードレールが取り付けられている。そして、このカードレールと棚板の前端面との間に、幅方向に延びて形成される溝部を利用して、商品の落下防止のためのストッパー等の各種補助部品を取り付けることが行われている。
【先行技術文献】
【特許文献】
【０００６】
【特許文献１】特開２００１−１７２９０号公報
【特許文献２】特開平１１−３４６８７９号公報
【発明の開示】
【発明が解決しようとする課題】
【０００７】
本発明は上記問題を解決すべくなされたものであり、既設の棚板に取付可能であって、かつ着脱を自在に行うことができる商品前出し装置を提供することを課題とするものである。
【課題を解決するための手段】
【０００８】
上記課題を解決するために、請求項１に記載した発明が採った手段は、棚板の載置面に取り付けられて、陳列物を後方から前方へと押し出す商品前出し装置であって、前記陳列物が上面側に載置されるレール部材と、該レール部材に摺動自在に取り付けられて、付勢手段により前方に付勢される押圧部材とを有し、前記レール部材の前端には、前記棚板の前端面若しくはその近傍において左右方向に延設される溝部に係止する前端固定部が設けられることを特徴とする商品前出し装置、である。
【０００９】
この商品前出し装置は、棚板の前端面又はその近傍に形成されている溝部を利用して着脱自在に取り付けできるようにしたものである。すなわち、レール部材に前端固定部を設け、これを棚板の前端面又はその近傍に形成される溝部に係止させることよって、載置面の任意の位置に着脱自在に取り付けできるようにしている。
【００１０】
ここで、棚板の前面又はその近傍に形成される「溝部」の形態としては、例えば、棚板の前端面と、これに取り付けられるカードレールとの間に形成される溝部や、棚板の前端面に取り付けられる前面ストッパーの背面側に形成される溝部等が挙げられる。
【００１１】
また、前端固定部は、レール部材の前端に着脱自在に取り付けられてもよい。これにより、前端固定部を、棚板の前面又はその近傍に形成される溝部の形態に応じたものに自在に交換することが可能となる。
【００１２】
また、レール部材は、長尺板状の両側面から突出して形成される一対の摺動案内部を備え、押圧部材は、前記一対の摺動案内部と係合する一対の係合凹部を備えてもよい。これにより、押圧部材がレール部材から外れにくく、かつスムーズな摺動が可能となる。さらに、レール部材の厚みを薄く形成することができるので、載置された商品と棚板の載置面との間の隙間が小さくなって、商品を安定して載置できるようになる。
【００１３】
また、レール部材には、後端側を棚板の載置面に着脱自在に固定する後端固定部が設けられてもよい。これにより、商品前出し装置を、より安定した状態で載置面に取り付けできるようになる。
【００１４】
また、付勢手段は、帯状の薄板材が渦巻き状に巻かれてなるバネであって、前記バネは、押圧部材に形成されたばね収容部に収容されるとともに、一端がレール部材の前端又はその近傍に取り付けられてもよい。これにより、押圧部材に十分な付勢力を与えることができるとともに、レール部材側に付勢手段を収容するスペースを形成しなくてよいので、レール部材を簡素に作製することができる。
【発明の効果】
【００１５】
本発明に係る商品前出し装置は、棚板の前端面又はその近傍に溝部が形成される一般的な棚板に適用することができる。これにより、既設の棚板を利用することが可能となるので、導入コストを安価に抑えることができる。また、棚板の前端面又はその近傍に設けられる溝部に前端固定部を係止させて棚板に取り付けるようにしたので着脱が容易であることから、取付位置も商品の大きさや棚板の載置面の大きさに応じて自在に設定することができるとともに、別の棚板への付け替えも簡単に行うことができる。
【図面の簡単な説明】
【００１６】
【図１】実施例１に係る商品前出し装置１００の斜視図である。
【図２】実施例１に係る商品前出し装置１００の分解斜視図である。
【図３】実施例１に係る商品前出し装置１００の前端固定部１１５を示す斜視図である。
【図４】実施例１に係る商品前出し装置１００の押圧部材を示す図であって、（ａ）は斜視図、（ｂ）は背面図、（ｃ）レール部材に取り付けられた状態の正面図である。
【図５】実施例１に係る商品前出し装置１００の使用態様を示す斜視図である。
【図６】実施例１に係る商品前出し装置１００を棚板２００に取り付けた状態を示す断面図である。
【図７】実施例１に係る商品前出し装置１００を棚板２００に取り付けた状態を示す部分断面図である。
【図８】実施例１に係る商品前出し装置１００の使用方法を説明する図である。
【図９】実施例２に係る商品前出し装置１００の斜視図である。
【図１０】実施例２に係る商品前出し装置１１０を棚板２００に取り付けた状態を示す斜視図である。
【図１１】実施例２に係る商品前出し装置１００を棚板２００に取り付けた状態を示す部分断面図である。
【図１２】実施例３に係る商品前出し装置１００の斜視図である。
【図１３】実施例３に係る商品前出し装置１００におけるレール部材１１０の正面図である。
【図１４】実施例３に係る商品前出し装置１００における前端固定部１１５の背面図である。
【図１５】実施例３に係る商品前出し装置１００において、押圧部材１２０がレール部材１１０に取り付けられた状態を示す図である。
【図１６】商品前出し装置１００の他の実施形態を示す斜視図である。
【図１７】商品前出し装置１００における押圧部材の他の実施形態を示す斜視図である。
【発明を実施するための形態】
【００１７】
本発明に係る商品前出し装置は、棚板の載置面に取り付けられて、棚板の前後方向に並べられた商品が手前側から抜き取られたときに、残りの商品を自動的に前方へと押し出すようにするものである。そして、本発明に係る商品前出し装置は、前端面又はその近傍において幅方向に延びる溝部が形成されている一般的な形態の棚板に適用することができる。
【００１８】
本発明に係る商品前出し装置は、主たる構成として、レール部材と、押圧部材とを備える。
【００１９】
レール部材は、長尺状に形成されて、後述する押圧部材をその長手方向に摺動案内するものである。レール部材の材質も特に限定されるものではなく、アルミ等の金属やプラスチック等から形成することができ、さらに、後述する押圧部材との間の摩擦抵抗を低減させるための表面処理を施してもよい。
【００２０】
また、レール部材には、後述する押圧部材を摺動自在に係合させるための摺動案内部を形成してもよい。摺動案内部は、レール部材に係合される押圧部材が容易に脱落することなく、かつスムーズに摺動させることができる形態であれば特に限定されないが、例えば、レール部材の両側から立設された起立部の内側面に案内溝を形成したり、レール部材の両側から側方に突出形成したりすることができる。特に、レール部材の両側面から突出形成する場合には、レール部材全体の高さを低く設定することができるので、商品をより安定して載置することが可能となる。
【００２１】
そして、レール部材には、棚板の載置面に着脱自在に取付可能とするための前端固定部が設けられる。前端固定部は、棚板の前端面又はその近傍に形成される溝部に係止する形状に形成される。ここで、「棚板の前端面又はその近傍に形成される溝部」とは、例えば、棚板の前端面と、この前端面に取り付けられてプライスカード等を差し込んだりポップを掛け止めすることに使用されるカードレールとの間に形成される溝部や、棚板から商品が落下することを防止するために棚板の前面に取り付けられるストッパー等の各種部品に形成される溝部等が挙げられる。従って、前端固定部は、このような溝部に係止することができ、かつその取り外しを容易に行えるように形成されるものであればよい。
【００２２】
また、前端固定部は、レール部材に対して着脱自在に設けてもよい。これにより、棚板の溝部の形態に応じて前端固定部を交換することが可能となる。この場合、前端固定部は、レール部材から容易に脱落することがなく、かつ取り外しも容易に行えるように取り付けられればよく、例えば、前端固定部をレール部材の前端に嵌合させて取り付けたり、ネジを用いて取り付けたりするとよい。
【００２３】
さらに、レール部材には、その後端部分を棚板の載置面に着脱自在に固定するための後端固定部を設けてもよい。後端固定部を設けることで、レール部材が前後両端で固定されるので、商品前出し装置を棚板の載置面により安定して取り付けできるようになる。後端固定部は、棚板の載置面に着脱自在に固定できる形態であれば特に限定されず、例えば、棚板の載置面に仕切り板等の補助部品を取り付けるために穿設されている穴部やスリットと係止する係止片として形成してもよいし、シート状のマグネットをレール部材の底面に貼設して磁力により固定できるようにしてもよい。
【００２４】
押圧部材は、棚板の載置面部に取り付けられたレール部材の上面側に並べられた商品を、後方から前方へと押し出す部材であり、レール部材に摺動自在に取り付けられる。例えば、レール部材に、基部の両側から立設された起立部の内側面の長手方向に沿って案内溝が設けられた摺動案内部が形成される場合には、この案内溝と係合する凸部を形成して取り付けることができ、レール部材の両側面から突出形成される場合には、これに係合する凹部を形成して取り付けることができる。
【００２５】
また、押圧部材には、前出しされる商品と当接する当接面部を形成してもよい。当接面部の形状は特に限定されず、前出しされる商品の形状や大きさに応じて形成すればよい。例えば、矩形の平面に形成されてもよいし、缶やペットボトルといった円筒状の商品との当接が確実に行われるように曲面に形成されてもよい。
【００２６】
尚、押圧部材の材質は特に限定されるものではなく、アルミ等の金属やプラスチックから形成することができる。例えば、レール部材と接触する部分に、レール部材との間の摩擦抵抗を低減させるための表面処理を施す等してもよい。
【００２７】
このようにして形成される押圧部材は、レール部材によって摺動案内され、さらに付勢手段によって後前方へと付勢される。付勢手段には、ばね等の周知の手段を用いることができるが、特に、帯状の薄板材が渦巻き状に巻かれてなる渦巻きばねを用いることが好ましい。そして、渦巻きばねを用いる場合には、押圧部材にばね収容部を形成するとともに、渦巻きばねから引き出される引出し部をレール部材の前端又はその近傍に取り付けるように構成するとよい。これにより、押圧部材に十分な付勢力を与えることができるとともに、レール部材側に付勢手段を収容するスペースを形成しなくてよいので、レール部材を簡素に作製できる。
【００２８】
以下に、本発明の実施例を図面に基づいて説明する。
【実施例１】
【００２９】
図１及び図２には、実施例１に係る商品前出し装置１００が示されている。また、図３には、商品前出し装置１００を構成する前端固定部１１５が示されており、図４には、商品前出し装置１００を構成する押圧部材１２０が示されている。さらに、図５から図７には、商品前出し装置１００を棚板２００に取り付けた状態が示されている。
【００３０】
図１及び図２に示すように、商品前出し装置１００は、レール部材１１０と、押圧部材１２０と、渦巻きばね１３０とを備える。レール部材１１０は、長尺状のアルミ材からなり、商品前出し装置１００が取り付けられる棚板の奥行長さに応じた長さに形成される。そして、レール部材１１０には、一対の摺動案内部１１１が形成されている。摺動案内部１１１は、レール部材１１０の両側から立設される起立部１１２を有しており、この起立部１１２の内側面、すなわち、一対の起立部１１２同士が対向する面側に、案内溝１１３が長手方向に延びて形成されている。さらに、レール部材１１０の後端には、棚板の載置面の後方に予め穿設されている穴部と係止する後端固定部１１４が設けられている。後端固定部１１４は、レール部材１１０にＵ字型の切り込みを入れた後、この切り込み部分を下方に折り曲げて突出させることにより形成されている。そして、レール部材１１０の前端には、前端固定部１１５が着脱自在に設けられている。
【００３１】
前端固定部１１５は、図３に示すように、レール部材１１０の前端から案内溝１１３に嵌合する嵌合部１１５ａと、棚板の前端面に形成される溝部と係止するように下方に延設される差込片１１５ｂとを有している。また、図７に示すように、嵌合部１１５の内部には、後述する渦巻きばね１３０の引出し部１３０ａの先端部分が係止される爪部１１５ｃが形成されている。
【００３２】
押圧部材１２０は、図４に示すように、当接面部１２１と、係合凸部１２２と、ばね収容部１２３とを有する。当接面部１２１は、略矩形の平面をなして形成されている。係合凸部１２２は、当接面部１２１の下方に形成され、レール部材１１０に形成される摺動案内部１１１の溝部１１３と対応する形状に形成されている。そして、図４（ｃ）に示すように、この係合凸部１２２を溝部１１３に係合させることで、押圧部材１２０がレール部材１１０に摺動自在に取り付けられる。
【００３３】
ばね収容部１２３は、当接面部１２１の背面側に形成され、図６及び図７に示すようにして、押圧部材１２０を前方へ付勢する渦巻きばね１３０が収容される。そして、ばね収容部１２３の内部には、渦巻きばね１３０を支持する支持部１２５と、ばね収容部１２３と連通し、渦巻きばね１３０から引き出された引出し部１３０ａが挿通される長孔１２４とが形成されている。そして、図７に示すように、長孔１２４を通って引き出された引出し部１３０ａの先端は、前端固定部１１５の内部に形成された爪部１１５ｃに係止される。このようにして渦巻きばね１３０を配置することにより、押圧部材１２０をレール部材１１０の前方側に付勢するようにしている。従って、押圧部材１２０は、商品が載置されていない状態や外力が加わっていない状態では、図６及ぶ図７に示されているように、渦巻きばね３０の付勢力の作用によりレール部材１１０の前端に位置することとなる。
【００３４】
次に、商品前出し装置１００を棚板２００に取り付ける方法について、図５から図７に基づいて説明する。ここでは、前端面２００ａにカードレール２２０が取り付けられるとともに、仕切り部材等の補助部品の取り付けに利用される前方穴部２１０ａと後方穴部２１０ｂとが、載置面２１０の前方と後方とに幅方向に沿って複数穿設された棚板２００を用いている。そして、載置面２１０には、仕切り部材２３０と、商品が前方から落下することを防止するストッパー２４０とが取り付けられている。
【００３５】
図６に示すように、商品前出し装置１００の前端側は、棚板２００の前端面２００ａと、カードレール２２０との間に形成される溝部Ｘに前端固定部１１５の差込片１１５ｂが係止されることにより固定される。一方、商品前出し装置１００の後端側は、棚板２００の載置面部２１０の後方穴部２１０ｂに後端固定部１１４が係止されることによって固定される。従って、商品前出し装置１００の棚板２００への設置は、まず後端係止片１１３を後方穴部２１０ｂに係止させながら前端係止部材１５０の差込片１５２を溝部Ｘに差し込むことによって行うことができ、取り外しはこれと逆の手順によって行うことができる。
【００３６】
そして、図５及び図８に示すようにして、棚板２００に設置された商品前出し装置１００のレール部材１１０上に、商品Ａが前後方向に並べて載置される。商品前出し装置１００のレール部材１１０上に商品Ａを載置するには、まず、図８（ａ）に示すように、押圧部材１２０を渦巻きばね１３０の付勢力に抗って後方へと摺動させる。このとき、ばね収容部１２３に収容されている渦巻きばね１３０の一部が引き出されて引出し部１３０ａを構成する。そして、押圧部材１２０を移動位置で保持しながら、商品Ａを当接面部１２１側に並べていき、並べ終えたら押圧部材１２０の保持を解除する。すると、渦巻きばね１３０の引出し部１３０ｂが巻き戻ろうとする力が作用して押圧部材１２０が前方へと摺動される。これにより最後尾に位置する商品Ａと当接面部１２１とが当接して商品Ａ全体に対して前方に圧力がかかった状態となる。そして、図８（ｂ）に示されているように、載置された商品Ａが手前側から抜き取られると、押圧部材１２０が残された商品Ａを前進させて「前出し」が自動的に行われることとなるのである。
【００３７】
上記のように構成される実施例１に係る商品前出し装置１００によれば、前端固定部１１５を、棚板２００の前端面２００ａとカードレール２２０との間に形成される溝部に係止させるとともに、後端固定部１１４を、棚板２００の載置面部２１０に複数穿設される後方穴部２１０ｂの１つを選択して係止させることにより、載置面２１０上に着脱自在に取り付けることができる。これによって、取付位置の変更や、他の棚板への付け替えを容易に行うことができる。
【実施例２】
【００３８】
図９には、実施例２に係る商品前出し装置１００が示されており、図１０及び図１１には、実施例２に係る商品前出し装置１００を棚板２００に取り付けた状態が示されている。実施例２に係る商品前出し装置１００は、実施例１における前端固定部１１５の形状を改変したものである。従って、実施例１と共通する構成については説明を省略する。
【００３９】
実施例２に係る商品前出し装置１００は、図１０及び図１１に示すように、透明プラスチックを板状に屈曲させてなるストッパー２４０が取り付けられた棚板２００に適用できるようにしたものである。このストッパー２４０は、その前面部２４１に価格や広告等が記載されたカード類を収容できるようになっており、背面部２４２の下端を棚板２００の前端面２００ａとカードレール２２０との間に形成される溝部Ｘに差し込むことによって棚板２００の前面側に取り付けられる。そして、ストッパー２４０の背面部２４２には、側面視略Ｌ型の溝部Ｙが幅方向に延びて形成されている。そこで、実施例２に係る商品前出し装置１００では、前端固定部１１５をストッパー２４０に形成される溝部Ｙを利用して取り付けできるように、前端固定部１１５を形成している。
【００４０】
図９に示すように、実施例２に係る商品前出し装置１００は、レール部材１１０の前端に前端固定部１１５が着脱自在に取り付けられる。この前端固定部１１５は、レール部材１１０の前端と嵌合する嵌合部１１５ａと、ストッパー２４０の背面に形成された側面視略Ｌ字型の溝部Ｙと対応する形状に形成された係止部１１５ｂとを有している。そして、図１０及び図１１に示すように、差込片１１５ｂを溝部Ｙに係止させることにより、商品前出し装置１００の前端側を着脱自在に固定することができる。
【００４１】
このように、棚板２００の前端面２００ａとカードレール２２０との間に形成される溝部Ｘにストッパー２４０を取り付ける場合であっても、前端固定部１１５をストッパー２４０の背面部２４２に設けられている溝部Ｙと係止するように形成することで、棚板２００への取り付けが可能となる。また、実施例１における前端固定部１１５と交換して用いることより、一の商品前出し装置１００を棚板２００の溝部の形態に合わせて使用することができる。
【実施例３】
【００４２】
図１２には、実施例３に係る商品前出し装置１００が示されている。また、図１３には、レール部材１１０の断面図が示されており、図１４には、前端固定部１１５が示されている。さらに、図１５には、押圧部材１２０がレール部材１１０に取り付けた状態が示されている。実施例３に係る商品前出し装置１００は、実施例１及び２とレール部材１１０の形態が異なるものである。従って、以下において、実施例１及び２と共通する構成については説明を省略する。
【００４３】
レール部材１１０は、図１２に示すように、長尺板状に形成される。そして、図１３に示すように、上面が下面よりもやや幅広に形成されることによって、断面が両側面と上面とが鋭角をなす断面略逆台形をなしており、この鋭角部が側方に突出することによって摺動案内部１１１が形成されている。また、レール部材１１０の上面には、渦巻きばね１３０の引出し部１３０ａが収容される凹部１１６が長手方向に形成されている。
【００４４】
前端固定部１１５は、図１２及び図１４に示すように、レール部材１１０の前端と着脱自在に嵌合する嵌合部１１５ａと、この嵌合部１１５ａから下方に延びてなる差込片１１５ｂとを有する。嵌合部１１５ａは、レール部材１１０の前端部分が収容されるように、レール部材１１０の形状に対応する断面略逆台形の内部形状を有している。また、嵌合部１１５ａは、下面が開口して形成されており、レール部材１１０の底面と嵌合部１１５ａとの間に段差を生じないようにしている。さらに、嵌合部１１５ａの内部には、渦巻きばね１３０の引出し部１３０ａの先端が係止される爪部１１５ｃが形成されている。
【００４５】
押圧部材１２０は、図１５に示すように、当接面部１２１と、係合凹部１２２と、ばね収容部１２３とを備える。係合凹部１２２は、レール部材１１０の摺動案内部１１１における鋭角部と対応する形状に形成され、レール部材１１０を両側から挟み込むような格好でレール部材１１０に摺動自在に係合される。
【００４６】
この商品前出し装置１００は、レール部材１１０の両側面に形成される鋭角部を摺動案内部１１１としていることから、実施例１及び２における摺動案内部１１１のように起立部１１５を形成する必要がない。このため、レール部材１１０全体の高さを低く形成することができるので、レール部材１１０上に陳列される商品と載置面部２１０との間の隙間が小さくなって商品をより安定して陳列することができる。尚、実施例３においては、実施例１に示した前端固定部１１５を採用しているが、実施例２の形態としてももちろん構わない。
【００４７】
以上、本発明に係る商品前出し装置の実施例について説明したが、本発明は、上記実施例に示した形態に限定されるものでなく、特許請求の範囲に記載された範囲において自由に変更することができる。例えば、図１６に示すように、レール部材１１０の後端に、押圧部材の脱落を防止するためのキャップ１４０を設けてもよい。この場合には、キャップ１４０側に後端固定部１４１形成してもよく、さらには各種長さに形成したキャップを複数用意し、これを交換することでレール部材の長さを棚板の奥行長さに合わせて調節できるようにしてもよい。また、図１７に示すように、押圧部材１２０の当接面部１２１を、その両側部分が前方に張り出して湾曲した曲面に形成してもよい。こうすることで、缶やペットボトルといった略円筒形の商品を陳列する場合に、商品の周面としっかり当接できるので、前出しする際に商品が所定の位置からずれたり傾いたりすることを防止することができる。
【符号の説明】
【００４８】
１００  商品前出し装置
１１０  レール部材
１１１  摺動案内部
１１４  後端固定部
１１５  前端固定部
１２０  押圧部材
１２３  ばね収容部
１３０  渦巻きばね（付勢手段）
２００  棚板
２１０  載置面部
２１０ａ  前方穴部
２１０ｂ  後方穴部
Ｘ、Ｙ  溝部
【図１】
2011120758.tif 000003
【図２】
2011120758.tif 000004
【図３】
2011120758.tif 000005
【図４】
2011120758.tif 000006
【図５】
2011120758.tif 000007
【図６】
2011120758.tif 000008
【図７】
2011120758.tif 000009
【図８】
2011120758.tif 000010
【図９】
2011120758.tif 000011
【図１０】
2011120758.tif 000012
【図１１】
2011120758.tif 000013
【図１２】
2011120758.tif 000014
【図１３】
2011120758.tif 000015
【図１４】
2011120758.tif 000016
【図１５】
2011120758.tif 000017
【図１６】
2011120758.tif 000018
【図１７】
2011120758.tif 000019